【事件の表示】
　平成７年特許願第２６１１０号「液晶組成物および液晶表示素子」拒絶査定不服審判事件〔平成８年８月６日出願公開、特開平８−１９９１６８〕について、次のとおり審決する。
【結　論】
　本件審判の請求は、成り立たない。
【理　由】
１．手続の経緯  
 本願は、平成７年１月１９日を出願日とする特許出願であって、平成１７年８月１９日付けで拒絶査定がなされ、これに対して平成１７年９月２９日に拒絶査定に対する審判が請求されたものである。
 　　　　 
２．本願発明 
 本願の請求項１ないし８に係る発明は、明細書の記載からみて、その特許請求の範囲の請求項１ないし８に記載されたとおりのものと認められる（以下、それぞれ「本願発明１」ないし「本願発明８」といい、まとめて「本願発明」ともいう。）ところ、その本願発明１は次のとおりである。  
「【請求項１】第一成分として、一般式（１）
【化１】
 
　　　　　　　　　　　　　　　　　　　　　（１）　　
（式中のＲ１およびＲ２は、独立に炭素数１〜１０のアルキル基を示す）で表される化合物を少なくとも一つ含有し、第二成分として、一般式（２）、（３）または（４）
【化２】
　　　　　　　　　　　　　　　　　　　　　（２）
　　　　　　　　　　　　　　　　　　　　　（３）
　　　　　　　　　　　　　　　　　　　　　（４）
（式中のＲ３は、炭素数１〜１０のアルキル基を示し、Ｘ１はＦまたはＣｌを示し、Ｙ１およびＹ２は独立にＨまたはＦを示し、Ｚ１およびＺ２は独立に、単結合、−ＣＨ２ＣＨ２−または−ＣＯＯ−を示し、ＡおよびＢは独立に、トランス−１，４−シクロヘキシレンまたは１，４−フェニレンを示す）で表される化合物からなる群から選択された一つ以上の化合物を含有することを特徴とする液晶組成物。」
 　　　　　　　  
３．原査定の理由  
　原査定の拒絶の理由の概要は、本願発明は、その出願前に頒布された刊行物に記載された発明に基づいて当業者が容易に発明をすることができたものであるから、特許法第２９条第２項の規定により特許を受けることができない、というものであり、該刊行物として、特表平５−５００８３０号公報（以下、「引用例Ａ」という。）、特開昭５８−２１９１３７号公報（以下、「引用例Ｂ」という。）が提示された。  
 　　　　　　　　　  
４．引用例に記載された事項 
（１）引用例Ａ（特表平５−５００８３０号公報） 
（摘記Ａ１）「１．正の誘電異方性を有する極性化合物の混合物を基礎とする液晶媒体であって、一般式Ｉ
　　　　　　　　　　　　　　　　　　　　　　　　　Ｉ
(式中、Ａ１およびＡ２は、それぞれ互いに独立して、トランス−１，４−シクロヘキシレン、１，４−フェニレンまたは３−フルオロ−１，４−フェニレンであり、Ｚは−ＣＨ２ＣＨ２−または単結合であり、ＬはＨまたはＦであり、ＹはＨまたはＦであり、ＸはＦ、Ｃｌ、ＣＦ３、ＯＣＦ３またはＯＣＨＦ２であり、そしてＲは、それぞれの場合に７個までの炭素原子を有するアルキル、オキサアルキル、フルオロアルキルまたはアルケニルである）の１種またはそれ以上の化合物を含有することを特徴とする液晶媒体。　　
２．一般式ＩＩ、ＩＩＩおよびＩＶ：
　　　　　　　　　　　　　　　　　　　　　　　　　ＩＩ
　　　　　　　　　　　　　　　　　　　　　　　　　ＩＩＩ
　　　　　　　　　　　　　　　　　　　　　　　　　ＩＶ
（式中、それぞれの基は以下に定義する通りである：
Ｒ：それぞれの場合に７個までの炭素原子を有するアルキル、オキサアルキル、フルオロアルキルまたはアルケニル；
Ｘ：Ｆ、Ｃｌ、ＣＦ３、ＯＣＦ３またはＯＣＨＦ２；
Ｌ：ＨまたはＦ；
Ｙ：ＨまたはＦ：
ｒ：０または１）
から成る群から選択される １種又はそれ以上の化合物をさらに含有することを特徴とする請求項１記載の媒体。」（第１頁特許請求の範囲の請求項１及び２）
（摘記Ａ２）「個々の像点を切り替えるための集積非線形素子を含んでいるマトリックス液晶ディスプレイ(ＭＬＣディスプレイ)に望ましい媒体は大きな正の誘電異方性、広いネマチック相、比較的低い複屈折性、非常に高い比抵抗、比抵抗の良好なＵＶおよび温度安定性、および低い蒸気圧を有しているものである。」（第２頁左下欄１２〜１７行）
（摘記Ａ３）「本明細書においてＭＬＣディスプレイと言う用語は集積非線形素子を有するいかなるマトリックスディスプレイ、すなわちアクティブマトリックスに加えて・・・等のパッシブ素子を有するディスプレイも包含するものである。・・・ＭＬＣディスプレイにおいては、コントラストの角度依存性および切り替え時間に関する問題以外に、液晶混合物の不十分な比抵抗のために種々の問題が生じる。・・・従来技術のＭＬＣディスプレイはこれらの現下の要求を満たしていない。したがって、これらの不都合を有せず、またはほんの僅かしか有せず、同時に広い作用温度範囲、短い切り替え時間および低いしきい電圧を伴う非常に高い比抵抗を有するＭＬＣディスプレイをなお大いに必要としている。」（第２頁右下欄下から３行〜第３頁右上欄１３行）
（摘記Ａ４）「本発明の目的は、特に上記の不都合を有せず、またはほんの僅かしか有せず、同時に非常に高い比抵抗および低いしきい電圧を有するのが好ましいこの種のＭＬＣ、ＴＮまたはＳＴＮディスプレイ用の媒体を提供することにある。本発明に従う媒体をディスプレイに使用する場合に、この目的を達成することができることをここに見出した。したがって、本発明は、正の誘電異方性を有する極性化合物の混合物を基礎とする液晶媒体であって、一般式Ｉ
・・・の１種またはそれ以上の化合物を含有することを特徴とする液晶媒体に関する。本発明は、この種の媒体を含有する電気光学的ディスプレイ・・・および電気光学的目的にこれらの媒体を使用することにも関する。」（第３頁左下欄５行〜右下欄８行）
（摘記Ａ５）「本発明の液晶混合物は、低粘度、低温( −３０℃において≦６００、好ましくは ≦５５０ｍＰａ．ｓ；−４０℃において ≦１８００、好ましくは≦１７００ｍＰａ．ｓ） において同時にΔε≧３．５、好ましくは≧４．０の誘電異方性値、６５°以上、好ましくは７０°以上の透明点および比抵抗の高い値を達成することを可能とする。このことは優れたＳＴＮおよびＭＬＣディスプレイを得ることができることを意味する。」（第３頁右下欄下から４行〜第４頁左上欄４行）
（摘記Ａ６）「この結果、本発明の混合物を用いて、シアノ系化合物を含有する混合物を使用するより著しく高い比抵抗を第一の極小において達成することができる。」（第４頁左上欄１９〜２１行）
（摘記Ａ７）「２０℃における粘度は ≦２５ｍＰａ．ｓであるのが好ましい。ネマチック相範囲は少なくとも７０°、特に少なくとも８０°であるのが好ましい。この範囲は少なくとも−３０°から＋７０°に及ぶのが好ましい。」（第４頁右上欄２〜５行）
（摘記Ａ８）「「最大保持容量（ｃａｐａｃｉｔｙ　ｈｏｌｄｉｎｇ　ｒａｔｉｏｎ）」（ＨＲ）・・・を測定することによって、式Ｉの化合物を含んでいる本発明の混合物は、式 Ｉの化合物を式
のシアノフェニルシクロヘキサン類によって置き換えた類似混合物より温度の上昇に伴うＨＲの低下が著しく小さいことが示された。本発明の混合物のＵＶ安定性もかなり良好である。すなわち、それらはＵＶ露光に際し著しく小さい ＨＲの低下を示す。」（第４頁右上欄６〜１９行）
（摘記Ａ９）「当業者は簡単な通常の実験を使用して広範な公知の、また多くの場合には市販の成分および基材混合物から適切な材料を選択することができる。」（第７頁右上欄下から６行〜下から４行）
（摘記Ａ１０）「本発明の媒体は式Ｉ”
（式中、Ｚ１、Ｚ２およびｍは式Ｉ’において定義した通りであり、Ｑ１およびＱ２は、それぞれ互いに独立して １，４−フェニレン、トランス−１，４−シクロヘキシレンまたは・・・でもあり、Ｒ０は、それぞれの場合に９ 個までの炭素原子を有するｎ−アルキル、ｎ−アルケニル、ｎ−アルコキシまたはｎ−オキサアルキルであり、ＬはＨまたはＦであり、ＹはＨまたはＦであり、そしてＸ’はＣＮ、ハロゲン、ＣＦ３、ＯＣＦ３またはＯＣＨＦ２である )の１種またはそれ以上の化合物を含んでいるのが好ましい。・・・ＭＬＣ 用としては、本発明の媒体は式 Ｉ”のニトリル類を約１０％までしか含まないのが好ましい・・・これらの媒体は式ＩＩ〜ＸＩＩの化合物を基礎とするのが好ましい。」（第７頁右上欄下から４行〜左下欄下から３行）
　　　　　
（２）引用例Ｂ（特開昭５８−２１９１３７号公報）
（摘記Ｂ１）「（２）一般式
　(但し上式に於いて Ｒ１，Ｒ２は炭素数１〜８のアルキル基を示す )
で表わされる ４−（トランス−４−アルキルオキシメチルシクロヘキシル )−４’−(トランス−４−アルキルシクロヘキシル )ビフエニルを少くとも１種含有することを特徴とする液晶組成物。」（第１頁特許請求の範囲の請求項（２））
（摘記Ｂ２）「しかし、そのいずれの表示素子に使用される液晶材料も現在の所、単独の化合物ではその諸特性即ち液晶温度範囲、動作電圧、応答性能等で実用的な使用に耐えるものはなく、数種類〜場合によつては２０種類程度の液晶化合物を混合して実用に耐えるものを得て居るのが現状である。本発明はこの様な実用的な用途に耐える優れた性能を有し、且つ安定性のある液晶組成物を構成する一成分として有用な化合物を提供する事を目的とするものである。」（第１頁右下欄１６行〜第２頁左上欄６行）
（摘記Ｂ３）「即ち本発明は、次の一般式で表わされる化合物である。
　　　　　　　　　　　　　　　　　　　（Ｉ）
　(但し上式に於いてＲ１，Ｒ２は炭素数１〜８のアルキル基を示す )
　本発明の（Ｉ）式の化合物は透明点（Ｎ−Ｉ点）が２８０℃以上と高いため、Ｎ−Ｉ点の低い化合物と混合して組成物の透明点を上昇する効果を有する安定性にすぐれた新規な液晶組成物である。本化合物は他の液晶化合物との相溶性にすぐれているので、例えばビフエニル系、エステル系、アゾキシ系、シクロヘキサンカルボン酸エステル系、フエニルピリミジン系、フエニルシクロヘキサン系、フエニルメタジオキサン系などの液晶化合物と混合して数種類の系にして使用する。」（第２頁左上欄７行〜右上欄３行）
（摘記Ｂ４）「実施例４（使用例）
　　　　　　　　　　　　　　　　　　２８．５７部（重量、以下同じ）
　　　　　　　　　　　　　　　　　　３８．０９部
　　　　　　　　　　　　　　　　　　２８．５７部
からなる液晶組成物のネマチツク液晶温度範囲（ＭＲ）は−３〜５２．５℃ ，２０℃に於ける粘度η２０は２３ｃｐ，誘電率異方性Δε は１１．３・・・で、これをセル厚１０μｍのＴＮセルに封入した際のしきい電圧は１．５Ｖ、飽和電圧は２．２Ｖであった。この組成物に本発明の化合物の一つである
を４．７６部加えた液晶組成物のＭＲは−３〜６１．０℃に広がり、η２０は２５ｃｐ，Δε は１０．８・・・であり・・・しきい電圧は１．６２Ｖ、飽和電圧は２．３０Ｖであった。」（第４頁左下蘭下から１行〜右下欄１６行）     　　　　
　　　　　　
５．対比・判断  
　引用例Ａには、本願発明１で規定する一般式（４）で表される化合物（以下、「本願発明１の一般式（４）の化合物」という。他の一般式（１）〜（３）で表される化合物も同様に表記する。）に該当する化合物を含む一般式Ｉの１種又はそれ以上の化合物を含有する液晶媒体、及び、それに加えて、本願発明１の一般式（２）、（３）の化合物に該当する化合物を含む一般式ＩＩ、ＩＩＩの化合物及び本願発明１の一般式（２）の化合物に該当する化合物を含む一般式ＩＶの化合物からなる群から選択される１種又はそれ以上の化合物をさらに含有する液晶媒体が記載されている（摘記Ａ１、Ａ４、Ａ１０）。
　したがって、引用例Ａには、本願発明１の一般式（２）、（３）、（４）の化合物（本願発明１の第二成分）に該当する化合物を一つ以上含有する液晶媒体（以下、「液晶組成物」という。審決注；液晶媒体は液晶組成物と同義である。）に係る発明が記載されていると認められ、該液晶組成物は当業者に公知である。 
　さらに、引用例Ａには、マトリックス液晶ディスプレイ(ＭＬＣディスプレイ)に望ましい媒体は大きな正の誘電異方性、広いネマチック相、非常に高い比抵抗、比抵抗の良好なＵＶ及び温度安定性等であること（摘記Ａ２）、引用例Ａ記載の発明は、広い作用温度範囲、短い切り替え時間、低いしきい電圧、非常に高い比抵抗値を有するのが好ましいＭＬＣディプレイ用などの媒体の提供を目的とすること（摘記Ａ３、Ａ４）、また、引用例Ａ記載の発明の液晶組成物の使用は、シアノ化合物、例えばシアノフェニルシクロヘキサン類を含有する液晶組成物を使用するより高い比抵抗値、又は高い最大保持容量（ｃａｐａｃｉｔｙ　ｈｏｌｄｉｎｇ　ｒａｔｉｏｎ）（ＨＲ）の安定性をもたらす旨記載されている（摘記Ａ６、Ａ８）。そして、引用例Ａ記載の発明の液晶組成物は、６５°以上好ましくは７０°以上の透明点及び比抵抗の高い値を達成することを可能とし（摘記Ａ５）、ネマチック相範囲は少なくとも７０°、特に少なくとも８０°であることが好ましく、その範囲は少なくとも−３０°から＋７０°に及ぶのが好ましい旨記載され（摘記Ａ７）、さらに、他の公知の液晶成分を配合できる旨も記載されている（摘記Ａ９）。
　さて、本願発明１と引用例Ａ記載の発明（液晶組成物）とを対比すると、両者は、本願発明１の一般式（２）、（３）または（４）の化合物からなる群から選択された一つ以上の化合物を含有する液晶組成物である点で一致し、本願発明１が、さらに本願発明１の一般式（１）の化合物を含有するのに対し、引用例Ａ記載の発明は、該化合物を含有するとされていない点で相違している。
　この相違点について検討する。
　引用例Ｂには、本願発明１の一般式（１）の化合物に該当する化合物を少なくとも１種含有することを特徴とする液晶組成物が記載されており（摘記Ｂ１）、該化合物は、実用的な用途に耐える優れた性能を有し、且つ安定性のある液晶組成物を構成する一成分として有用な化合物であり（摘記Ｂ２）、Ｎ−Ｉ点の低い化合物と混合して組成物の透明点を上昇する効果を有する安定性にすぐれた化合物であり、具体的に実施例４（使用例）で、該化合物の配合により透明点が上昇し、かつネマチツク液晶温度範囲が広がることが記載されている（摘記Ｂ３、Ｂ４）。さらに、該化合物は、他の液晶化合物との相溶性にすぐれ、ビフエニル系、エステル系、・・・フエニルシクロヘキサン系、フエニルメタジオキサン系などの液晶化合物と混合して数種類の系にして使用する旨記載されている（摘記Ｂ３）。
　したがって、上記のように高い透明点が望ましく、他の公知の液晶成分を配合できるとする、引用例Ａに記載されているような公知の液晶組成物に、引用例Ｂに記載されている、液晶組成物を構成する一成分として有用で、組成物の透明点を上昇する効果を有し、安定性にすぐれ、他の液晶化合物との相溶性にすぐれることが公知の一般式（１）の化合物に該当する化合物を配合して本願発明１の構成の液晶組成物とすることは当業者の容易に想到し得るところであり、それによる効果も本願の明細書の記載からみて、既に示した引用例Ａ及びＢの記載から当業者の予想するところであり、格別のものとは認められない。
　したがって、本願発明１は、その出願前に頒布された刊行物である引用例Ａ、Ｂに記載された発明に基づいて当業者が容易に発明をすることができたものである。
　　　　　　
　なお、審判請求人は、組成物例及びその特性に係る実験データを示し、本願発明は「ネマチック相温度範囲の低温領域の拡大」効果を有し、進歩性を有する旨主張している。本願明細書では、透明点を高くすることが強調され、該低温領域の拡大効果については具体的に記載されていないが、そもそも、本願発明１は、必須とされる第一成分及び第二成分の配合量や、該必須とされる成分以外の配合成分（以下「任意成分」という。）の種類に関しては何ら規定していないものであって、広範な液晶組成物を包含するものである。
　ここで、液晶組成物の分野では、配合する全成分の種類及びその配合量が組成物の特性（効果）に影響を与え、成分の種類、配合量が異なれば特性（効果）も異なることは技術常識であり、本願発明１の第一成分、第二成分についてみても、本願明細書の段落【００２６】に「第一成分の混合割合が３％より少ないと、本願発明の主題である透明点を高くする効果が得にくい。また、混合割合が３０％を越えると得られる液晶組成物の粘度が大きくなることがある。・・・第二成分の混合割合が５０％より少ないと得られる組成物のネマチックレンジが狭くなる可能性があり、また、混合割合が９７％を越えると透明点を高くする効果が得られないことがある。」と記載されているように、その配合量により効果が異なるものであるから、上記のように第一成分、第二成分各々の配合量及び任意成分の種類を規定しない本願発明１は、例えば、第一成分及び第二成分の配合量が各１重量％などごく少量で、任意成分がネマチック相温度範囲を狭くする成分である組成物など、ネマチック相温度範囲の低温領域の拡大や透明点を高くする効果を奏さない液晶組成物をも包含するものである。
　したがって、本願発明１に該当する組成物のいくつかが請求人の主張する効果を奏するとしても、それは本願発明１のうちの一部のものに関する効果であって、本願発明１の構成全体に基づく効果ではない。
　よって、該請求人の主張は採用できない
　　　　　　　
６．むすび
 　以上のとおり、本願発明１は、引用例Ａ、Ｂに記載された発明に基づいて当業者が容易に発明をすることができたものであるから、特許法第２９条第２項の規定により特許を受けることができない。
　したがって、本願発明２〜８を検討するまでもなく、本願は拒絶すべきものである。
　よって、結論のとおり審決する。